(57)【特許請求の範囲】
【請求項１】
前面及び背面を開口した本体と、各種機器が配設されて前記本体の背面開口部を被覆するとともに壁面に固定して設置される背面板と、前記本体の前面開口部を被覆する扉体とから成る機器収納箱であって、前記扉体の一側縁に前記本体と前記扉体とを着脱可能にする蝶番を設け、前記背面板の一側縁に前記背面板と前記本体とを着脱可能にする蝶番を設け、前記背面板に対して前記本体を開閉可能にするとともに前記本体に対して前記扉体を開閉可能にしたことを特徴とする機器収納箱。
【請求項２】
前記背面板を上下反転させて前記本体と着脱可能にしたことを特徴とする請求項１に記載の機器収納箱。
【発明の詳細な説明】
【０００１】
【産業上の利用分野】
本発明は、光配線盤、通信機器収納盤、分電盤、配電盤、制御盤等の機器を収納するための機器収納箱の構造に関する。
【０００２】
【従来の技術】
従来、図５及び図６に示すように機器収納箱２１は、壁面への取付面となる平板状の背面板２２の全周にわたって側面板２３が一体に形成されて前面に開口部２４を有する本体２５と、本体２５の開口部２４を被覆する扉体２６とで構成している。扉体２６は本体２５の開口部２４を開閉可能に蝶番２７を介して取り付けられ、蝶番２７は扉体側蝶番２８と本体側蝶番２９と蝶番ピン３０とで構成している。扉体側蝶番２８は扉体２６の一側縁に設けられ、扉体側蝶番２８と対向する本体２５の側面板２３に本体側蝶番２９が設けられ、扉体側蝶番２８のピン挿通孔２８ａと本体側蝶番２９のピン挿通孔２９ａとを一直線上に配置した状態で夫々のピン挿通孔２８ａ，２９ａに一端に折曲部３０ａを有する略Ｌ字状の蝶番ピン３０が挿通され、扉体側蝶番２８の近傍に形成した抜け防止片３１に蝶番ピン３０が抜ける方向に折曲部３０ａが当接して抜け落ちないようにしている。
【０００３】
【発明が解決しようとする課題】
しかしながら、従来の機器収納箱は本体の前面しか開口していないため、機器収納箱の内部に取り付けられた各種機器へ配線する際に作業スペースが狭く、配線作業がしづらいという欠点があった。また、本体の背面板と側面板が一体に形成されているために大型の機器収納箱を設置しようとすると非常に重量があり、設置作業が困難であるという欠点があった。また、例えば、本体の上面から入線するために本体の上部に電線の固定部材を配置した機器収納箱において、本体の下面から入線を行いたい場合は機器収納箱全体を上下反転させて設置しなければならないという欠点があった。
【０００４】
【課題を解決するための手段】
上記従来の機器収納箱の問題点に鑑み、本発明の目的は、機器収納箱の内部に取り付けられた各種機器への配線作業が非常にしやすく、配線の入出線方向が容易に変更でき、機器収納箱の設置が容易にできる機器収納箱を提供するもので、その構造は、前面及び背面を開口した本体と、各種機器が配設されて本体の背面開口部を被覆するとともに壁面に固定して設置される背面板と、本体の前面開口部を被覆する扉体とから成る機器収納箱であって、扉体の一側縁に本体と扉体とを着脱可能にする蝶番を設け、背面板の一側縁に背面板と本体とを着脱可能にする蝶番を設け、背面板に対して本体を開閉可能にするとともに本体に対して扉体を開閉可能にしたことである。
【０００５】
また、背面板を上下反転させて本体と着脱可能にしたことである。
【０００６】
【発明の実施の形態】
請求項１に記載の機器収納箱によれば、前面及び背面を開口した本体と、各種機器が配設されて本体の背面開口部を被覆するとともに壁面に固定して設置される背面板と、本体の前面開口部を被覆する扉体とから成る機器収納箱であって、扉体の一側縁に本体と扉体とを着脱可能にする蝶番を設け、背面板の一側縁に背面板と本体とを着脱可能にする蝶番を設け、背面板に対して本体を開閉可能にするとともに本体に対して扉体を開閉可能にしたことにより、背面板から本体を開閉自在にすることができ、又は背面板から本体を完全に着脱することができ、側面板が邪魔にならないので機器収納箱の内部に取り付けられた各種機器への配線作業が非常にしやすく、背面板と本体と扉体を分離することができるので機器収納箱の設置が容易にできる。
【０００７】
請求項２に記載の機器収納箱によれば、背面板を上下反転させて本体と着脱可能にしたことにより、配線の入出線方向を容易に変更することができる。
【０００８】
【実施例】
本発明に係る機器収納箱の一実施例を図１〜図４の添付図面に基づいて説明する。
【０００９】
機器収納箱１は前面及び背面を開口した本体２と、本体２の背面開口部２ａを被覆する背面板３と、本体２の前面開口部２ｂを被覆する扉体４とで構成している。背面板３は本体２の背面開口部２ａを被覆するように第一の蝶番５を介して取り付けられ、第一の蝶番５は背面板側蝶番６と本体背面側蝶番７と蝶番ピン８とで構成している。背面板側蝶番６は背面板３の左右両側縁に設けられ、背面板側蝶番６と対向する本体２の背面開口部２ａ近傍の一側縁に本体背面側蝶番７が設けられ、背面板側蝶番６のピン挿通孔６ａと本体背面側蝶番７のピン挿通孔７ａとを一直線上に配置した状態で夫々のピン挿通孔６ａ，７ａに一端に折曲部８ａを有する略Ｌ字状の蝶番ピン８が挿通され、背面板側蝶番６の近傍に形成した抜け防止片９に蝶番ピン８が抜ける方向に折曲部８ａが当接して抜け落ちないようにしている。本体２の可動側は舌片１０が形成され、舌片１０の螺子挿通孔１１に螺子を挿通させて背面板３の螺孔１２に螺着固定する。
【００１０】
扉体４は本体２の前面開口部２ｂを被覆するように第二の蝶番１３を介して取り付けられ、第二の蝶番１３は扉体側蝶番１４と本体前面側蝶番１５と蝶番ピン１６とで構成している。扉体側蝶番１４は扉体４の一側縁に設けられ、扉体側蝶番１４と対向する本体２の前面開口部２ｂ近傍に本体前面側蝶番１５が設けられ、扉体側蝶番１４のピン挿通孔１４ａと本体前面側蝶番１５のピン挿通孔１５ａとを一直線上に配置した状態で夫々のピン挿通孔１４ａ，１５ａに一端に折曲部１６ａを有する略Ｌ字状の蝶番ピン１６が挿通され、扉体側蝶番１４の近傍に形成した抜け防止片１７に蝶番ピン１６が抜ける方向に折曲部１６ａが当接して抜け落ちないようにしている。扉体４の可動側には平面ハンドル１８等が設けられ、扉体４の閉塞時に平面ハンドル１８により扉体４を本体２に固定している。
【００１１】
機器収納箱１の設置方法について説明する。まず、機器収納箱１を背面板３と本体２と扉体４とに分離し、背面板３に各種機器を配設する。次に背面板３を壁面にボルトとナット等により固定する。各種機器は背面板３から露出し、全周にわたって開放されているため、各種機器への配線を容易にすることができる。配線が完了したら背面板３の左右両側縁の第一の蝶番５を介して本体２を開閉可能に固定する。本体２の可動側は舌片１０に螺子を挿通させて背面板３の螺孔１２に螺着固定する。それから、本体２の前面側に第二の蝶番１３を介して扉体４を開閉可能に取り付ける。扉体４の可動側は平面ハンドル１８により本体２に固定する。
【００１２】
また、機器収納箱１の配線の変更や機器の増設をする場合等は、背面板３と本体２とを固定する螺子を取り外し、背面板３から本体２を第一の蝶番５により開閉可能にした状態で作業を行うことができる。本体２の一方は第一の蝶番５により背面板３に固定されているため、配線作業時に本体２を別の場所に置く必要がない。また、配線完了後の本体２の取り付け時は本体２を閉塞して螺着するだけなので簡単である。尚、第一の蝶番５の蝶番ピン８を引き抜いて本体２を背面板３から完全に取り外した状態で作業を行っても良い。
【００１３】
機器収納箱１の入出線方向を変更する場合は、背面板３から本体２を完全に取り外し、背面板３だけを上下反転させて壁面に固定する。背面板３には背面板側蝶番６が左右両側縁に設けられているため、背面板３を上下反転させても本体２を取り付けることができる。また、本体２の可動側は舌片１０の螺子挿通孔１１に螺子を挿通させて背面板３の螺孔１２に螺着固定する。本体２は上下反転させなくても良いため、本体２の内面にアース端子等の部品が設けられていて本体２は上下反転させたくない場合に対応することができる。
【００１４】
尚、本実施例において、第一の蝶番及び第二の蝶番の構造について限定はなく、本発明の趣旨を逸脱しない範囲で適宜変更可能である。
【００１５】
【発明の効果】
以上のように本発明に係る機器収納箱は、前面及び背面を開口した本体と、各種機器が配設されて本体の背面開口部を被覆するとともに壁面に固定して設置される背面板と、本体の前面開口部を被覆する扉体とから成る機器収納箱であって、扉体の一側縁に本体と扉体とを着脱可能にする蝶番を設け、背面板の一側縁に背面板と本体とを着脱可能にする蝶番を設け、背面板に対して本体を開閉可能にするとともに本体に対して扉体を開閉可能にしたことにより、背面板から本体を開閉自在にすることができ、又は背面板から本体を完全に着脱することができ、側面板が邪魔にならないので機器収納箱の内部に取り付けられた各種機器への配線作業が非常にしやすく、背面板と本体と扉体を分離することで各部品が軽くなるので機器収納箱の設置が容易にできるという優れた効果がある。
【００１６】
また、背面板を上下反転させて本体と着脱可能にしたことにより、配線の入出線方向を容易に変更することができるという優れた効果がある。
【図面の簡単な説明】
【図１】本発明に係る機器収納箱を示す分解斜視図である。
【図２】本発明に係る機器収納箱を示す斜視図である。
【図３】本発明に係る第一の蝶番部分を示す正面図である。
【図４】本発明に係る第二の蝶番部分を示す正面図である。
【図５】従来の機器収納箱を示す斜視図である。
【図６】従来の蝶番部分を示す正面図である。
【符号の説明】
１      機器収納箱
２      本体
２ａ    背面開口部
２ｂ    前面開口部
３      背面板
４      扉体
５      第一の蝶番
６      背面板側蝶番
６ａ    ピン挿通孔
７      本体背面側蝶番
７ａ    ピン挿通孔
８      蝶番ピン
８ａ    折曲部
９      抜け防止片
１０    舌片
１１    螺子挿通孔
１２    螺孔
１３    第二の蝶番
１４    扉体側蝶番
１４ａ  ピン挿通孔
１５    本体前面側蝶番
１５ａ  ピン挿通孔
１６    蝶番ピン
１６ａ  折曲部
１７    抜け防止片
１８    平面ハンドル
【図１】
0004390370.tif 000002
【図２】
0004390370.tif 000003
【図３】
0004390370.tif 000004
【図４】
0004390370.tif 000005
【図５】
0004390370.tif 000006
【図６】
0004390370.tif 000007